(57)【要約】【課題】簡単な操作で分割歯車１、２同士が互いの配置を調整されて正規の位置で所定のピッチ間隔Ｔを保ちながら連結状態に繋がり継足し操作が迅速になる継足し用治具装置３を提供する。【解決手段】治具本体１１を分割歯車１、２の外側面上にセットした後、螺子２２、２３を雌ねじ孔２０、２１に螺進させて、螺子２２、２３が取付ボルト１８、１９の外周側部を押圧する。これにより、治具本体１１が分割歯車１、２の中心方向Ｅに引き込まれるように位置ずれし、第１ピン突子１２、１３および第２ピン突子１４、１５が一方の分割歯車１の歯面１ｂおよび他方の分割歯車２の歯面２ｂにそれぞれ圧接し、分割歯車１、２を一定のピッチ間隔Ｔで素早く継ぎ足しすることができて使い勝手がよく、継足し作業性が向上する。【選択図】図１
2014119041.tif 000002
【特許請求の範囲】
【請求項１】
互いに隣接する部分に雌ねじ部を形成した複数の分割歯車をベース台に沿って並べて継足す際に用いる継足し用治具装置において、
前記複数の分割歯車のうち、隣接する一方の分割歯車に噛合する第１噛合突子および他方の分割歯車に噛合する第２噛合突子を有するとともに、前記一方の分割歯車の前記雌ねじ部および前記他方の分割歯車の前記雌ねじ部にそれぞれ対応し、前記第１噛合突子および前記第２噛合突子と平行となるように貫通形成された挿通孔を有する治具本体と、
前記挿通孔に余剰間隙が生じるように遊嵌状態に挿入されて、外側周部が前記雌ねじ部に仮止め状態に螺合する雄ねじ部を有する取付ボルトと、
前記治具本体の前記分割歯車に近接する外側面で前記挿通孔に対して垂直となる方向から連通するように形成された雌ねじ孔に螺進退可能に螺合させた螺子とを備え、
前記隣接する分割歯車を前記ベース台に本止めする前に、前記治具本体を前記隣接する分割歯車の外側面上にセットした後、前記螺子を前記雌ねじ孔に螺進させて、前記螺子が前記取付ボルトの側面部を押圧することにより、前記治具本体が前記余剰間隙を介して前記分割歯車の中心方向に引き込まれて、前記第１噛合突子および前記第２噛合突子が前記一方の分割歯車の歯面および前記他方の分割歯車の歯面にそれぞれ圧接するように構成したことを特徴とする継足し用治具装置。
【請求項２】
互いに隣接する部分に雌ねじ部を形成した複数の分割歯車をベース台に沿って並べて継足す際に用いる継足し用治具装置において、
前記複数の分割歯車のうち、隣接する一方の分割歯車に噛合する第１噛合突子および他方の分割歯車に噛合する第２噛合突子を有するとともに、前記一方の分割歯車の前記雌ねじ部および前記他方の分割歯車の前記雌ねじ部にそれぞれ対応し、前記第１噛合突子および前記第２噛合突子と平行となるように貫通形成された挿通孔を有する治具本体と、
前記治具本体は、前記分割歯車の外側面に沿い、前記挿通孔を有する側辺部と前記側辺部の一端部に形成された立起辺部とにより断面Ｌ字状に形成された板材から成っていることと、
前記治具本体の前記挿通孔に余剰間隙が生じるように遊嵌状態に挿入され、先端部に前記雌ねじ部が螺合する雄ねじ部を有する取付ボルトと、
前記治具本体の前記立起辺部に形成された雌ねじ孔に螺進退可能に螺合され、先端面を前記取付ボルトの頭部の外側面に当接させる螺子とを備え、
前記隣接する分割歯車を前記ベース台に本止めする前に、前記治具本体を前記隣接する分割歯車の外側面上にセットした後、前記螺子を前記雌ねじ孔に螺進させて、前記螺子が前記取付ボルトの前記頭部の外側面を押圧することにより、前記治具本体が前記余剰間隙を介して前記分割歯車の中心方向に引き込まれて、前記第１噛合突子および前記第２噛合突子が前記一方の分割歯車の歯面および前記他方の分割歯車の歯面にそれぞれ圧接するように構成したことを特徴とする継足し用治具装置。
【発明の詳細な説明】
【技術分野】
【０００１】
本発明は、複数の分割歯車をベース台上に並べて継足す際に用いる継足し用治具装置に係り、とりわけ、分割歯車を簡単な操作で素早く継ぎ足せるように改良した継足し用治具装置に関する。
【背景技術】
【０００２】
ラックとピニオンとを組合せた作動機構は、「ラックアンドピニオン式ステアリング」や「ラックまたはギアの構造」として知られている（例えば特許文献１、２参照）。
特許文献１では、ばねを付勢手段として設け、作動機構の作動時にラックとピニオン間の距離が変動すると、ラックの変位をラックガイドの回動により吸収し、ラックガイドの摩擦量を低減している。
特許文献２のギアでは、歯先面よりも低い位置まで弾性部材を設け、ギアがラックに噛み合う時、ギアが弾性部材を介してラックの歯に噛み合うように構成し、異音や振動の発生を抑制している。
【０００３】
また、特許文献３はラック・ピニオンの回転伝達装置に関し、ラックがロボットの走行、あるいはストッカー搬送や洗浄ライン搬送など長いストロークに適用された場合、複数から成る単体のラックを継ぎ足しながら一直線状に並べて使用することを開示している。この回転伝達装置では、ラックを一直線状に並べて継足す際、把持本体を把持しながらピンをラック歯に強く当接させる方向に押し当てる必要があるため、ピンをラック歯に強く係合させる操作が煩わしく、両者を素早くかつ確実に噛合させることが難しくなり、使い勝手が悪いという不都合がある。
【０００４】
この不都合をなくしたものとして、特許文献４に開示された継足し用治具装置がある。この継足し用治具装置では、複数のラック体を長手方向に沿って一直線に継ぎ足している。近年、天体観測所に据え付けられた望遠鏡を旋回駆動するものとして、幾つもの分割リングを円周上に沿って繋ぎ合せて、差渡し幅が数メートルにもなる大径平歯車を組み付ける必要に迫られている。特許文献４では、複数の分割リングを繋ぎ合せて大径平歯車を組み付ける継足し用治具としては実用性に乏しかった。
これに代わるものとして、図５に示す継足し用治具５０が登場している。継足し用治具５０では、図５（ａ）に示すように、左右の分割リング５１、５２をベース５３上で繋ぐ時、図５（ｂ）に示すように、治具本体５４のピン５５を分割リング５１、５２の歯面５１ａ、５２ａに当接させる。この状態で、固定ボルト５６を治具本体５４の挿通孔５４ａに通してねじ込むと、固定ボルト５６の先端に形成された雄ねじ部５６ａがベース５３の立上り部５３ａに設けられた雌ねじ部５３ｂに螺合する。
【０００５】
これにより、ピン５５が矢印Ｐ方向に引き込まれて分割リング５１、５２の歯面５１ａ、５２ａに強く密着し、分割リング５１、５２同士が所定のピッチ間隔を保ちながら連結状態に繋がる。この操作後に、取付ボルト５７により分割リング５１、５２がベース５３に本止め状態に固定されて分割リング５１、５２同士の継足し操作が終了する。
【先行技術文献】
【特許文献】
【０００６】
【特許文献１】特開平０８−３４３５４号公報
【特許文献２】特開２０００−６５１７６号公報
【特許文献３】特開平１０−１８４８４２号公報
【特許文献４】特開２０１２−２０２４２１号公報
【発明の概要】
【発明が解決しようとする課題】
【０００７】
しかしながら、図５（ｂ）に示す継足し用治具５０では、固定ボルト５６を通す挿通孔５４ａは治具本体５４に形成され、雄ねじ部５６ａが螺合する雌ねじ部５３ｂは、ベース５３の立上り部５３ａに設けられている。
すなわち、挿通孔５４ａと雌ねじ部５３ｂとは、分割リング５１、５２に隔てられた配置となるため、固定ボルト５６が長尺になって継足し用治具５０が大型化するとともに、挿通孔５４ａを介して雌ねじ部５３ｂに螺合させる固定ボルト５６の締付け操作が煩雑になり、ひいては分割リング５１、５２の継足し作業性が低下する虞がある。
【０００８】
本発明は、上記事情に鑑みてなされたもので、その目的は複数の分割歯車をベース台に並べて継足す際、簡単な操作で複数の分割歯車の歯面に第１噛合突子および第２噛合突子を素早く且つ正確に圧接させることができて、使い勝手がよくなるとともに、継足し操作が迅速になり作業性が向上する継足し用治具装置を提供することにある。
【課題を解決するための手段】
【０００９】
（請求項１について）
互いに隣接する部分に雌ねじ部を形成した複数の分割歯車をベース台に沿って並べて継足す際に用いる継足し用治具装置において、治具本体には、複数の分割歯車のうち、隣接する一方の分割歯車に噛合する第１噛合突子および他方の分割歯車に噛合する第２噛合突子が設けられているとともに、一方の分割歯車の雌ねじ部および他方の分割歯車の雌ねじ部にそれぞれ対応し、第１噛合突子および第２噛合突子と平行となるように貫通形成された挿通孔を有する。
取付ボルトは、挿通孔に余剰間隙が生じるように遊嵌状態に挿入されて、外側周部が雌ねじ部に仮止め状態に螺合する雄ねじ部を有する。
螺子は、治具本体の分割歯車に近接する外側面で挿通孔に対して垂直となる方向から連通するように形成された雌ねじ孔に螺進退可能に螺合している。
隣接する分割歯車をベース台に本止めする前に、治具本体を隣接する分割歯車の外側面上にセットした後、螺子を雌ねじ孔に螺進させて、螺子が取付ボルトの外周側部を押圧することにより、治具本体が余剰間隙を介して分割歯車の中心方向に引き込まれて、第１噛合突子および第２噛合突子が一方の分割歯車の歯面および他方の分割歯車の歯面にそれぞれ圧接する。
【００１０】
請求項１では、第１噛合突子および第２噛合突子が一方の分割歯車の歯面および他方の分割歯車の歯面にそれぞれ圧接することにより、分割歯車同士が互いの配置を調整されて正規の位置で所定のピッチ間隔を保ちながら連結状態に繋がる。
この際、治具本体と分割歯車とは隣接関係にあり、挿通孔は治具本体に設けられ、雌ねじ部は分割歯車に形成されているので、短尺な取付ボルトで挿通孔から雌ねじ部に螺合させることができ、全体のコンパクトが図られて継足し用治具装置の小型化に寄与することができる。
【００１１】
また、第１噛合突子（第２噛合突子）を一方の分割歯車の歯面（他方の分割歯車の歯面）に圧接させる際、螺子を雌ねじ孔に螺進させて取付ボルトの外周側部に押圧させる簡単な操作で済むため、使い勝手がよくなるとともに、継足し操作を短時間で素早く終えることができて継足し作業性が大幅に向上する。
しかも、螺子の螺進量は余剰間隙の幅寸法でよいため、螺子が短尺になり、螺子の迅速な螺進操作が得られ、この点からも、継足し用治具装置の小型化および継足し作業性の向上に寄与する。
【００１２】
（請求項２について）
互いに隣接する部分に雌ねじ部を形成した複数の分割歯車をベース台に沿って並べて継足す際に用いる継足し用治具装置において、治具本体には、複数の分割歯車のうち、隣接する一方の分割歯車に噛合する第１噛合突子および他方の分割歯車に噛合する第２噛合突子を設けるとともに、一方の分割歯車の雌ねじ部および他方の分割歯車の雌ねじ部にそれぞれ対応し、第１噛合突子および第２噛合突子と平行となるように貫通形成された挿通孔を設けている。この治具本体は、分割歯車の外側面に沿い、挿通孔を有する側辺部と側辺部の一端部に形成した立起辺部とにより断面Ｌ字状に形成された板材から成る。
。取付ボルトは、治具本体の挿通孔に余剰間隙が生じるように遊嵌状態に挿入され、前端部に雌ねじ部が螺合する雄ねじ部を有する。
螺子は、治具本体の立起辺部に形成された雌ねじ孔に螺進退可能に螺合され、先端面を取付ボルトの頭部の外側面に当接させている。
隣接する分割歯車をベース台に本止めする前に、治具本体を隣接する分割歯車の外側面上にセットした後、螺子を雌ねじ孔に螺進させて、螺子が取付ボルトの頭部の外側面を押圧することにより、治具本体が余剰間隙を介して分割歯車の中心方向に引き込まれて位置ずれし、第１噛合突子および第２噛合突子が一方の分割歯車の歯面および他方の分割歯車の歯面にそれぞれ圧接する。
【００１３】
請求項２では、第１噛合突子および第２噛合突子が一方の分割歯車の歯面および他方の分割歯車の歯面にそれぞれ圧接することにより、分割歯車同士が互いの配置を調整されて正規の位置で所定のピッチ間隔を保ちながら連結状態に繋がる。
この際、治具本体と分割歯車とは隣接関係にあり、挿通孔は治具本体に設けられ、雌ねじ部は分割歯車に形成されているので、短尺な取付ボルトで挿通孔から雌ねじ部に螺合させることができ、全体のコンパクトが図られて継足し用治具装置の小型化に寄与することができる。
治具本体は断面Ｌ字状の板材であるため、例えば板材の板厚を小さくすることにより、継足し用治具装置の小型化および軽量化に資することができる。
【００１４】
また、第１噛合突子（第２噛合突子）を一方の分割歯車の歯面（他方の分割歯車の歯面）に圧接させる際、螺子を雌ねじ孔に螺進させて取付ボルトの頭部の外側面に押圧させるといった簡単な操作で済むため、使い勝手がよくなるとともに、継足し操作を短時間で素早く終えることができて継足し作業性が大幅に向上する。
しかも、螺子の螺進量は余剰間隙の幅寸法に等しい大きさでよいため、螺子が短尺で済み、螺子の迅速な螺進操作が得られ、この点からも、継足し用治具装置の小型化および継足し作業性の向上に寄与する。
【図面の簡単な説明】
【００１５】
【図１】ピン・ピニオン、分割歯車および継足し用治具装置を示す分解斜視図である（実施例１）。
【図２】（ａ）、（ｂ）は分割歯車に装着する手順を示す継足し用治具装置の縦断面図、（ｃ）は（ｂ）のＫ−Ｋ線に沿う縦断面図である（実施例１）。
【図３】分割歯車に装着した継足し用治具装置の上面図である（実施例１）。
【図４】（ａ）、（ｂ）は分割歯車に装着する手順を示す継足し用治具装置の縦断面図、（ｃ）は（ｂ）のＪ−Ｊ線に沿う縦断面図である（実施例２）。
【図５】（ａ）は分割リングに装着した継足し用治具を示す正面図、（ｂ）は（ａ）のＳ−Ｓ線に沿う縦断面図である（従来技術）。
【発明を実施するための形態】
【００１６】
本発明の継足し用治具装置では、所定のピッチ間隔を保ちながら複数の分割歯車を簡単な操作でベース台上に並べて継足す構成を各実施例により具体化する。
【実施例】
【００１７】
〔実施例１の構成〕
図１ないし図３に基づいて本発明の実施例１を説明する。以後の説明において、特に断らない限り、各部材の位置および方向の特定は、各実施例を通して対応する図面の左右および上下方向に従う。
図１に示す継足し用の分割歯車１、２は、継足し用治具装置３により継ぎ足しされる分割リングとして複数個設けられている。これら分割歯車１、２は、後述するようにベース台４上で隣接間隙Ｌとして僅かな間隔を余して繋ぎわされて、差渡し幅が数メートルに達する大径の平歯車（図示せず）を形成する。
大径の平歯車は大型の旋回軸に取り付けられて、天体観測所の望遠鏡の旋回駆動などに用いられるものである。分割歯車１、２には、例えば円盤５、６の間に複数のピン７を設けたピン・ピニオン８が噛合し、大径の平歯車を回転駆動するための歯車として用いられる。
【００１８】
分割歯車１、２は互いに隣接しており、隣接する部分に雌ねじ部９、１０を形成している。治具本体１１は、細長な矩形体状を成して分割歯車１、２の外側面上にセットされるものである。治具本体１１には、隣接する一方の分割歯車１に噛合する第１ピン突子１２、１３および他方の分割歯車２に噛合する第２ピン突子１４、１５がそれぞれ噛合突子として縦型に設けられている。
治具本体１１には、分割歯車１の雌ねじ部９および分割歯車２の雌ねじ部１０にそれぞれ対応し、第１ピン突子１２、１３および第２ピン突子１４、１５と平行となるように貫通形成された挿通孔１６、１７が設けられている。
第１ピン突子１２、１３および第２ピン突子１４、１５については、治具本体１１に一体的に形成してもよく、別体のものを治具本体１１に対して上下方向（垂直方向）に指向する状態に固着してもよい。
【００１９】
取付ボルト１８、１９は、図２（ａ）に示すように、挿通孔１６、１７よりも僅かに径小に形成され、図２（ｂ）に示すように、挿通孔１６、１７に余剰間隙Ｇがそれぞれ生じるように遊嵌状態に挿入されている。取付ボルト１８、１９の各外側周部には、雌ねじ部９、１０に仮止め状態に螺合する雄ねじ部１８ａ、１９ａを有する。余剰間隙Ｇは、取付ボルト１８、１９の直径Ｈ１と挿通孔１６、１７の直径Ｈ２との径寸法差Ｈ３に等しい（Ｈ３＝｜Ｈ１−Ｈ２｜）。
この場合、取付ボルト１８、１９は、合成樹脂製のワッシャ１８ｂ、１９ｂを介して挿通孔１６、１７を通して雌ねじ部９、１０に螺合されているが、仮止め状態であるので、取付ボルト１８、１９の頭部１８ｃ、１９ｃは、ワッシャ１８ｂ、１９ｂの表面を軽く押圧し、ワッシャ１８ｂ、１９ｂの裏面を治具本体１１の外表面に緩く接触させている。
【００２０】
雌ねじ孔２０、２１は、治具本体１１の分割歯車１、２に近接する外側面において、図２（ａ）〜図２（ｃ）に示すように、挿通孔１６、１７に対して垂直となる方向Ｗから連通するように形成されている。挿通孔１６、１７には、螺子２２、２３が垂直となる方向Ｗに沿って螺進退可能に螺合している（図２（ｂ）、（ｃ）参照）。
【００２１】
分割歯車１、２をベース台４に本止めする前、すなわち、固定ボルト２４、２５を用いて分割歯車１、２をベース台４に仮止めしておき、治具本体１１を分割歯車１、２の外側面上にセットした後、螺子２２、２３を雌ねじ孔２０、２１に螺進させて、螺子２２、２３が取付ボルト１８、１９の外周側部を横フォースにより押圧する（押圧工程）。
これにより、治具本体１１が余剰間隙Ｇを介して分割歯車１、２の中心方向Ｅに引き込まれるように位置ずれし、図３に示すように、第１ピン突子１２、１３および第２ピン突子１４、１５が一方の分割歯車１の歯面１ｂおよび他方の分割歯車２の歯面２ｂにそれぞれ圧接する（圧接工程）。
【００２２】
圧接工程の終了後、固定ボルト２４、２５をベース螺子孔４ａ、４ｂに螺合させることにより、分割歯車１、２をベース台４に本止めし、螺子２２、２３を緩めるとともに、取付ボルト１８、１９を緩めて、治具本体１１を分割歯車１、２から取り外す。
継足し用治具装置３を用いて、この操作を分割歯車１、２に近接する他の分割歯車（図示せず）に対して複数回にわたって繰り返すことにより、大径の平歯車を組み付けることができる。
【００２３】
〔実施例１の効果〕
実施例１では、第１ピン突子１２、１３および第２ピン突子１４、１５が一方の分割歯車１の歯面１ｂおよび他方の分割歯車２の歯面２ｂにそれぞれ圧接することにより、分割歯車１、２同士が互いの配置を調整されて正規の位置で所定のピッチ間隔Ｔを保ちながら連結状態に繋がる。
この際、治具本体１１と分割歯車１、２とは隣接関係にあり、挿通孔１６、１７は治具本体１１に設けられ、雌ねじ部９、１０は分割歯車１、２に形成されている。
このため、短尺な取付ボルト１８、１９で挿通孔１６、１７から雌ねじ部９、１０に螺合させることができ、全体のコンパクト化が図られて継足し用治具装置３の小型化に寄与することができる。
【００２４】
また、第１ピン突子１２、１３（第２ピン突子１４、１５）を一方の分割歯車１の歯面１ｂ（他方の分割歯車２の歯面２ｂ）に圧接させる際、螺子２２、２３を雌ねじ孔２０、２１に螺進させて取付ボルト１８、１９の外周側部に押圧させる簡単な操作で済むため、使い勝手がよくなるとともに、継足し操作を短時間で素早く終えることができて継足し作業性が大幅に向上する。
しかも、螺子２２、２３の螺進量は余剰間隙Ｇの幅寸法に等しい大きさでよいため、螺子２２、２３が短尺になり、螺子２２、２３の迅速な螺進操作が得られ、この点からも、継足し用治具装置３の小型化および継足し作業性の向上に寄与する。
【００２５】
また、取付ボルト１８、１９の頭部１８ｃ、１９ｃと治具本体１１の挿通孔１６、１７との間には、合成樹脂製のワッシャ１８ｂ、１９ｂを介在させている。
ワッシャ１８ｂ、１９ｂは表面の摩擦が小さいため、治具本体１１が余剰間隙Ｇを介して分割歯車１、２の中心方向Ｅに引き込まれる際、治具本体１１がワッシャ１８ｂ、１９ｂに沿って位置ずれし易くなり、継足し操作を促進する効果が得られる。
【００２６】
〔実施例２の構成〕
図４は本発明の実施例２を示す。実施例２が実施例１と異なるところは、治具本体１１を断面Ｌ字状の板材２８から形成したことである。
治具本体１１の板材２８は、図４（ａ）に示すように、分割歯車１、２の外側面に沿う側辺部２８ａと側辺部２８ａの一端部を立て起こして一体に曲成した立起辺部２８ｂとから成る。立起辺部２８ｂは、側辺部２８ａの一端部に別体に立設されたものでもよい。
【００２７】
取付ボルト１８、１９は、治具本体１１の挿通孔１６、１７に余剰間隙Ｇが生じるように遊嵌状態に挿入され、雄ねじ部１８ａ、１９ａの前端部が雌ねじ部９、１０に螺合する。螺子３０は、治具本体１１の立起辺部２８ｂに形成された雌ねじ孔２９に螺進退可能に螺合され、先端面３０ａを取付ボルト１８、１９における頭部１８ｃ、１９ｃの外側面１８ｄ、１９ｄに当接させている。
【００２８】
分割歯車１、２をベース台４に本止めする前に、治具本体１１を分割歯車１、２の外側面上にセットしてから、螺子３０を雌ねじ孔２９に螺進させて、螺子３０が頭部１８ｃ、１９ｃの外側面１８ｄ、１９ｄを横フォースにより押圧する。
これにより、図４（ｂ）、（ｃ）に示すように、治具本体１１が余剰間隙Ｇを介して分割歯車１、２の中心方向Ｅに引き込まれて位置ずれし、第１ピン突子１２、１３および第２ピン突子１４、１５が一方の分割歯車１の歯面１ｂおよび他方の分割歯車２の歯面２ｂにそれぞれ圧接する。
【００２９】
〔実施例２の効果〕
実施例２では、第１ピン突子１２、１３および第２ピン突子１４、１５が一方の分割歯車１の歯面１ｂおよび他方の分割歯車２の歯面２ｂにそれぞれ圧接することにより、分割歯車１、２同士が互いの配置を調整されて正規の位置で所定のピッチ間隔Ｔを保ちながら連結状態に繋がる。
【００３０】
この際、治具本体１１と分割歯車１、２とは隣接関係にあり、挿通孔１６、１７は治具本体１１に設けられ、雌ねじ部９、１０は分割歯車１、２に形成されているので、短尺な取付ボルト１８、１９で挿通孔１６、１７から雌ねじ部９、１０に螺合させることができ、全体のコンパクト化が図れて継足し用治具装置３の小型化に寄与することができる。
治具本体１１は断面Ｌ字状の板材２８であるため、例えば板材の板厚を小さくすることにより、継足し用治具装置３の小型化および軽量化に資することができる。
【００３１】
また、第１ピン突子１２、１３（第２ピン突子１４、１５）を一方の分割歯車１の歯面１ｂ（他方の分割歯車２の歯面２ｂ）に圧接させる際、螺子３０を雌ねじ孔２９に螺進させて、取付ボルト１８、１９における頭部１８ｃ、１９ｃの外側面１８ｄ、１９ｄに押圧させる簡単な操作で済むため、使い勝手がよくなるとともに、継足し操作を短時間で素早く終えることができて継足し作業性が大幅に向上する。
しかも、螺子３０の螺進量は余剰間隙Ｇの幅寸法に等しい大きさでよいため、螺子３０が短尺で済み、螺子３０の迅速な螺進操作が得られ、この点からも、継足し用治具装置３の小型化および継足し作業性の向上に寄与する。
【００３２】
〔変形例〕
（ａ）実施例１〜４に係る第１ピン突子１２、１３および第２ピン突子１４、１５については、治具本体１１と別体でも一体的に形成してもよい。
噛合突子としては、第１ピン突子１２、１３および第２ピン突子１４、１５に限らず、分割歯車１、２の歯面１ｂ、２ｂに噛合する歯形を有する歯形突子であってもよい。
【００３３】
（ｂ）分割歯車１、２は、大径の平歯車を構成するものに限らず、上面に多数の歯部を形成した長尺なラックを構成する複数のラック体であってもよい。
（ｃ）実施例１において、第１ピン突子１２、１３（第２ピン突子１４、１５）を一方の分割歯車１の歯面１ｂ（他方の分割歯車２の歯面２ｂ）に圧接させて、取付ボルト１８、１９を横フォースにより押圧して移動させる際、螺子２２、２３に求められる螺進量は、螺子２２、２３に加わるトルク値により決定してもよい。実施例２の螺子３０についても同様である。
【００３４】
（ｄ）ワッシャ１８ｂ、１９ｂに適用する合成樹脂には、一般のプラスチック材料が適用でき、ポリウレタンやゴムの他にポリアセタール、ポリアミド（ＰＡ）、ポリカーボネート（ＰＣ）、ポリフェニレンエーテル（ＰＰＥ）、ポリブチレンテレフタレート（ＰＢＴ）、ポリエチレンテレフタレート（ＰＥＴ）、ポリエチレン（ＰＥ）あるいはシンジオタクチックポリスチレン（ＳＰＳ）などを適用してもよい。
ワッシャ１８ｂ、１９ｂについては、合成樹脂の代わりに、摺動性の優れた金属や、炭素繊維で補強した炭素繊維補強金属（ＣＦＲＭ）、あるいはＣ／ＣコンポジットにＳｉ、Ａｌ、Ｃｕ、Ｔｉなどの溶融金属を充填して再複合させたカーボン・金属複合体（Ｃ／Ｃ−ＭＣ）を用いて形成してもよい。
【００３５】
（ｅ）第１ピン突子１２、１３（第２ピン突子１４、１５）および治具本体１１は、ステンレススチール鋼などの金属体であってもよく、上記の種類から選択した合成樹脂体であってもよい。
【産業上の利用可能性】
【００３６】
本発明の継足し治具装置では、複数の分割歯車をベース台に並べて継ぎ足す際、簡単な操作で、隣接する分割歯車の歯面に第１ピン突子および第２ピン突子を素早く且つ正確に圧接させることができて、使い勝手がよくなるとともに、継足し操作が迅速になり作業性が向上する。これにより、分割歯車の継足し作業に、高い性能や効率化を求める需要者を喚起し、関連部品の流通を介して機械産業に適用することができる。
【符号の説明】
【００３７】
１、２        分割歯車（分割リング）
１ｂ、２ｂ    分割歯車の歯面
３            継足し用治具装置
４            ベース台
８            ピン・ピニオン
９、１０      分割歯車の雌ねじ部
１１          治具本体
１２、１３    第１ピン突子（第１噛合突子）
１４、１５    第２ピン突子（第２噛合突子）
１６、１７    治具本体の挿通孔
１８、１９    取付ボルト
１８ａ、１９ａ  取付ボルトの雄ねじ部
１８ｂ、１９ｂ  ワッシャ
１８ｃ、１９ｃ  取付ボルトの頭部
１８ｄ、１９ｄ  取付ボルトの頭部の外側面
２０、２１      治具本体の雌ねじ部
２２、２３      治具本体への螺子
２８            板材
２８ａ          板材の側辺部
２８ｂ          板材の立起辺部
２９            立起辺部の雌ねじ部
３０            雌ねじ部への螺子
３０ａ          螺子の先端面
Ｅ              分割歯車の中心方向
Ｗ              治具本体の挿通孔に垂直な方向
Ｇ              取付ボルトと挿通孔との間の余剰間隙
Ｔ              分割歯車のピッチ間隔
【図１】
2014119041.tif 000003
【図２】
2014119041.tif 000004
【図３】
2014119041.tif 000005
【図４】
2014119041.tif 000006
【図５】
2014119041.tif 000007